(57)【特許請求の範囲】
【請求項１】
インターフェイス部を介して複数の上位装置に共有されている、大量の情報を管理する記録再生装置であって、
情報の記録と再生を行う記録再生部と、
前記上位装置に接続するためのインターフェイス部と、
前記記録再生部と前記インターフェイス部を制御するプロセッサと、
前記プロセッサから出力される前記記録再生部と前記インターフェイス部の制御状態に関する情報を基にして前記プロセッサを制御する状態検出部と
を備え、前記インターフェイス部が前記複数の上位装置の何れかによる不法な占有状態にあることが前記状態検出部によって認識されたときには、前記プロセッサが前記状態検出部の指示に基いて前記インターフェイス部のみをリセットすることを特徴とする記録再生装置。
【請求項２】
インターフェイス部を介して複数の上位装置に共有されている、大量の情報を管理する記録再生装置であって、
情報の記録と再生を行う記録再生部と、
前記上位装置に接続するためのインターフェイス部と、
前記記録再生部と前記インターフェイス部を制御する複数のプロセッサと
を備え、各プロセッサ各々が現在制御している該記録再生装置の各部の制御状態に関する情報を互いに遣り取りし、前記インターフェイス部が前記複数の上位装置の何れかによる不法な占有状態にあることが何れかのプロセッサによって認識されたときには、現在インターフェイス部を制御しているプロセッサが、前記インターフェイス部が不法な占有状態にあることを認識したプロセッサの指示に基いて前記インターフェイス部のみをリセットすることを特徴とする記録再生装置。
【発明の詳細な説明】
【０００１】
【発明の属する技術分野】
本発明は、複数のホストコンピュータやサーバ等の上位装置に共有されている記録再生装置に関する。
【０００２】
【従来の技術】
大量の情報を管理する記録再生装置がＳＣＳＩ装置（ＳＣＳＩ；Ｓｍａｌｌ  Ｃｏｍｐｕｔｅｒ  Ｓｙｓｔｅｍ  Ｉｎｔｅｒｆａｃｅ）等のインターフェイス部を介して複数のホストコンピュータやサーバ等の上位装置に共有されている環境において上位装置の1つが該記録再生装置を使用している場合、この上位装置によって該インターフェイス部が占有状態となるため、他の上位装置が該記録再生装置を使用しようとしても該インターフェイス部によってビジー状態としてはじかれてしまう。その一方で、このような環境においては、該記録再生装置を使用中の上位装置に異常が発生して該インターフェイス部が不法な占有状態になることは珍しくない（不法な占有状態とは、該記録再生装置においてある上位装置により情報の記録や再生が行われていないにも拘わらず、該インターフェイス部がその上位装置により占有状態にあることを謂う）。即ち、該記録再生装置を使用している上位装置に異常が発生してハングアップ状態となったときには、この上位装置から処理中断の信号を受けることがないため、該インターフェイス部はこの上位装置が処理を続行しているものと判断し、他の上位装置からの命令をビジー状態としてはじいていまう。例えば、ある上位装置が該記録再生装置から情報を読み出している途中で故障してハングアップ状態となった場合、再生した情報の送信ができなくなるため該記録再生装置の記録再生部の動作を停止するにも拘わらず、上述したように該インターフェイス部は他の上位装置からの命令をビジー状態としてはじいていまう。このように該インターフェイス部が不法な占有状態となった場合、全ての上位装置において該記録再生装置の使用ができなくなる。そこで、該インターフェイス部が不法な占有状態となったときには、リセット等の適切な処置を施さなければならないが、そのためには、該インターフェイス部が不法な占有状態にあることを認識する必要がある。そこで、従来の対策として、特開平７−１６０６１８号公報にて開示されているように、全ての上位装置間で該記録再生装置の使用状況（該記録再生装置を使用していない、該記録再生装置を使用中、該記録再生装置を使用中に故障する等）の遣り取りを行って互いに監視し合うことで、該インターフェイス部が通常の占有状態にあるのか、不法な占有状態にあるのかを認識していた。即ち、ある上位装置が該記録再生装置を使用しようとしたが該インターフェイス部が占有状態であった場合には、他の上位装置の使用状況から該インターフェイス部が通常の占有状態にあるのか、不法な占有状態にあるのかを認識し、不法な占有状態にあることを認識した場合には、該記録再生装置を使用しようとしていた上位装置がインターフェイス部に対しリセット等の適切な措置を行うようにしていた。
【０００３】
しかしながら、上述の方法によると、全ての上位装置間で該記録再生装置の使用状況の遣り取りを行って互いに監視し合わなければならず、そのため各上位装置のパフォーマンスは、その分低下することになる。
【０００４】
【発明が解決しようとする課題】
本発明は上記問題点に鑑み、記録再生装置のインターフェイス部がホストコンピュータやサーバ等の上位装置による通常の占有状態にあるのか、不法な占有状態にあるのかの認識を該記録再生装置自身によって行うことができるようにした記録再生装置を提供することを目的とする。
【０００５】
【課題を解決するための手段】
本発明の請求項１記載の記録再生装置は、インターフェイス部を介して複数の上位装置に共有されている、大量の情報を管理する記録再生装置であって、情報の記録と再生を行う記録再生部と、前記上位装置に接続するためのインターフェイス部と、前記記録再生部と前記インターフェイス部を制御するプロセッサと、前記プロセッサから出力される前記記録再生部と前記インターフェイス部の制御状態に関する情報を基にして前記プロセッサを制御する状態検出部とを備え、前記インターフェイス部が前記複数の上位装置の何れかによる不法な占有状態にあることが前記状態検出部によって認識されたときには、前記プロセッサが前記状態検出部の指示に基いて前記インターフェイス部のみをリセットすることを特徴とする。
【０００６】
本発明の請求項２記載の記録再生装置は、インターフェイス部を介して複数の上位装置に共有されている、大量の情報を管理する記録再生装置であって、情報の記録と再生を行う記録再生部と、前記上位装置に接続するためのインターフェイス部と、前記記録再生部と前記インターフェイス部を制御する複数のプロセッサとを備え、各プロセッサ各々が現在制御している該記録再生装置の各部の制御状態に関する情報を互いに遣り取りし、前記インターフェイス部が前記複数の上位装置の何れかによる不法な占有状態にあることが何れかのプロセッサによって認識されたときには、現在インターフェイス部を制御しているプロセッサが、前記インターフェイス部が不法な占有状態にあることを認識したプロセッサの指示に基いて前記インターフェイス部のみをリセットすることを特徴とする。
【０００７】
本発明によれば、記録再生装置のインターフェイス部がホストコンピュータやサーバ等の上位装置による通常の占有状態にあるのか、不法な占有状態にあるのかの認識を該記録再生装置自身によって行うことができる。
【０００８】
【発明の実施の形態】
本発明における実施の形態を図面を用いて、以下に説明する。
（実施の形態１）
図１は、本実施の形態１であるＳＣＳＩ装置等のインターフェイス部を介して複数のホストコンピュータやサーバ等の上位装置に共有されている記録再生装置の要部を示すブロック図であって、該記録再生装置は大量の情報を管理している。図１において、１は情報の記録及び再生を行う記録再生部であって、光ディスク装置や磁気テープ装置等のドライブ、光ディスクや磁気テープ等のカートリッジ、カートリッジが収納されているカートリッジケースからドライブへカートリッジを移動させるためのアーム等からなる。２は該記録再生装置を上位装置に接続するためのインターフェイス部、３は該記録再生装置の各部（記録再生部１とインターフェイス部２）の動作を制御し、かつ該記録再生装置の各部の制御状態に関する情報を状態信号５によって状態検出部４に常時出力するプロセッサ、４はプロセッサ３から出力される状態信号５に基いて該記録再生装置の各部の制御状態を確認する状態検出部であって、インターフェイス部２が不法な占有状態にあることが認識された場合、これに対する措置（インターフェイス部２をリセットする等）を指示するための措置信号６をプロセッサ３に出力してプロセッサ３を制御する。
【０００９】
以上のように構成された該記録再生装置において、プロセッサ３は上位装置からの命令をインターフェイス部２を介して受け取ると、その命令に従い該記録再生装置の各部を制御する。例えば、記録再生部１が記憶している情報の読み出し命令があると、プロセッサ３は、情報を再生するよう記録再生部１を制御するとともに、再生された情報が命令を行った上位装置へ送信されるようインターフェイス部２を制御する。
【００１０】
本実施の形態１において、インターフェイス部２が不法に占有された場合の動作を以下に説明する。例えば、該記録再生装置を使用中の上位装置に異常が発生してハングアップ状態となり、プロセッサ３から記録再生部１への動作命令がないにも拘わらずインターフェイス部２が占有状態となった場合、状態検出部４は状態信号５に基きインターフェイス部２が不法な占有状態にあることを認識して措置信号６をプロセッサ３に出力し、プロセッサ３は措置信号６に基いてインターフェイス部２をリセットする。なお、リセットとは、インターフェイス部２を不法な占有状態から解除して初期状態に戻すことを謂う。
【００１１】
（実施の形態２）
図２は、本実施の形態２であるＳＣＳＩ装置等のインターフェイス部を介して複数のホストコンピュータやサーバ等の上位装置に共有されている記録再生装置の要部を示すブロック図であって、該記録再生装置は大量の情報を管理している。なお、前述した本実施の形態１と同じ構成を有する部材には同一の番号を付記して、説明を省略する。
【００１２】
本実施の形態２の該記録再生装置はプロセッサを２台備えるデュアルプロセッサ型の記録再生装置である。プロセッサＡ２１とプロセッサＢ２２は前述したプロセッサ３と同様、該記録再生装置の各部（記録再生部１とインターフェイス部２）の動作を制御しており、プロセッサを２台備えることにより同時に２つの処理を可能としている。どちらのプロセッサが該記録再生装置の何処を制御するかは現在の状況に従って決定される。なお、本実施の形態２においては、プロセッサＡ２１とプロセッサＢ２２各々が制御している部位の制御状態に関する情報を状態信号によって互いに遣り取りしており、プロセッサＡ２１が状態信号Ａ２３を、プロセッサＢ２２が状態信号Ｂ２４を出力するものとする。
【００１３】
本実施の形態２において、例えば、現在インターフェイス部２を制御しているプロセッサがプロセッサＡ２１であって、インターフェイス部２が不法に占有された場合、プロセッサＢ２２がプロセッサＡ２１から出力される状態信号Ａ２３に基きインターフェイス部２が不法な占有状態にあることを認識してプロセッサＡ２１に措置信号Ｂ２６を出力し、プロセッサＡ２１はこの措置信号Ｂ２６に基いてインターフェイス部２をリセットする。また、現在インターフェイス部２を制御しているプロセッサがプロセッサＢ２２である場合も同様に、プロセッサＡ２１がプロセッサＢ２２から出力される状態信号Ｂ２４に基きインターフェイス部２が不法な占有状態にあることを認識してプロセッサＢ２２に措置信号Ａ２５を出力し、プロセッサＢ２２はこの措置信号Ａ２５に基いてインターフェイス部２をリセットする。
【００１４】
本実施の形態２においては、プロセッサが２台の記録再生装置の例で説明したが、これに限らず、プロセッサが複数台あれば同様に実施可能である。
なお、本実施の形態１、２おいて、記録再生部１若しくはインターフェイス部２の故障が原因となってインターフェイス部２が不法な占有状態と同様の状態となった場合の対策として、例えば、インターフェイス部２をリセットした後に不法な占有状態が継続していた場合には記録再生部１若しくはインターフェイス部２の故障と判断し、該記録再生装置外部に設置されたランプを点滅させる方法等が考えられる。
【００１５】
【発明の効果】
本発明によれば、ＳＣＳＩ装置等のインターフェイス部を介して複数のホストコンピュータやサーバ等の上位装置に共有されている記録再生装置自身によって該記録再生装置のインターフェイス部が上位装置による通常の占有状態にあるのか、不法な占有状態にあるのかを認識し、上位装置のパフォーマンスの低下を招くことなくリセット等の適切な処置を行うことができる。
【図面の簡単な説明】
【図１】本発明における実施の形態１であるＳＣＳＩ装置等のインターフェイス部を介して複数のホストコンピュータやサーバ等の上位装置に共有されている記録再生装置の要部を示すブロック図
【図２】本発明における実施の形態２であるＳＣＳＩ装置等のインターフェイス部を介して複数のホストコンピュータやサーバ等の上位装置に共有されている記録再生装置の要部を示すブロック図
【符号の説明】
１      記録再生部
２      インターフェイス部
３      プロセッサ
４      状態検出部
５      状態信号
６      措置信号
２１    プロセッサＡ
２２    プロセッサＢ
２３    状態信号Ａ
２４    状態信号Ｂ
２５    措置信号Ａ
２６    措置信号Ｂ
【図１】
0004678954.tif 000002
【図２】
0004678954.tif 000003